(57)【要約】【課題】風路切換えのためのアクチュエータ、風路が増加し、電気接続や風路ダクトの接続が複雑で、誤接続の原因となっており、制御装置に動作確認機能を有したことで、施工作業確認と装置の動作確認を一括して実施することができる換気空調装置を提供することを目的としている。【解決手段】本体に圧縮機１４と第１熱交換器８と減圧機構と第２熱交換器２からなる冷凍サイクルと、第１熱交換器８、第２熱交換器２に空気を送る換気送風装置４、空調送風装置１０と、風路に設けた第１開閉手段６、第２開閉手段７、第３開閉手段１２、第４開閉手段１３と、前記換気送風装置４、空調送風装置１０と第１から第４開閉手段６、７、１２、１３を制御する制御手段１８を備え、前記制御装置１８に動作確認機能を有したことで、施工時の確認作業の簡略化と作業時間の短縮、作業者の負担を軽減することができるという効果のある換気空調装置を提供できる。【選択図】図１
2010164200.tif 000002
【特許請求の範囲】
【請求項１】
本体に圧縮機と第１熱交換器と膨張機構と第２熱交換器からなる冷凍サイクルと、熱交換器に空気を送る送風装置と、風路に設けた開閉手段と、前記送風装置と開閉手段を制御する制御手段を備え、前記制御装置に動作確認機能を有したことを特徴とする換気空調装置。
【請求項２】
動作確認機能は、開閉手段を閉とした後、送風装置を駆動させる機能としたことを特徴とする請求項１記載の換気空調装置。
【請求項３】
開閉手段を浴室への送風風路に設け、動作確認機能へこの開閉手段を開く機能を追加したことを特徴とする請求項２記載の換気空調装置。
【請求項４】
開閉手段を屋外への換気風路に設け、動作確認機能へこの開閉手段を開く機能を追加したことを特徴とする請求項２記載の換気空調装置。
【請求項５】
開閉手段を他室への送風風路に設け、動作確認機能へこの開閉手段を開く機能を追加したことを特徴とする請求項２記載の換気空調装置。
【請求項６】
開閉手段を浴室からの吸込み風路に設け、動作確認機能へこの開閉手段を閉じる機能を追加したことを特徴とする請求項２記載の換気空調装置。
【請求項７】
開閉手段を他室からの吸込み風路に設け、動作確認機能へこの開閉手段を開く機能を追加したことを特徴とする請求項２記載の換気空調装置。
【請求項８】
動作確認機能は、予め設定した空調運転モードとしたことを特徴とする請求項１記載の換気空調装置。
【請求項９】
動作確認機能を働かせるための入力部を制御手段に備えたことを特徴とする請求項１記載の換気空調装置。
【請求項１０】
換気空調装置の発停、運転モード選択など通常使用者が操作する操作部を備え、この操作部の操作により動作確認機能を働かせることを特徴とする請求項１記載の換気空調装置。
【請求項１１】
動作確認機能を働かせる操作を専用の操作としたことを特徴とする請求項９および１０に記載の換気空調装置。
【請求項１２】
動作確認機能が働いていることを表示する表示部を操作部に備えたことを特徴とする請求項１０に記載の換気空調装置。
【請求項１３】
表示部は文字として表示する液晶表示部としたことを特徴とする請求項１２記載の換気空調装置。
【請求項１４】
確認作業毎に操作部を操作する作業認識操作を追加したことを特徴とする請求項１３記載の換気空調装置。
【請求項１５】
設置後初めて動作されるときは動作確認機能を働かせることを特徴とする請求項１記載の換気空調装置。
【請求項１６】
動作確認機能は予め設定された順番通りに自動で切換えていくことを特徴とする請求項１記載の換気空調装置。
【発明の詳細な説明】
【技術分野】
【０００１】
本発明は、ヒートポンプを利用して浴室などの換気空調を行う換気空調装置に関するものである。
【背景技術】
【０００２】
従来、この種のヒートポンプを利用した浴室などの換気空調装置としては、浴室または洗面室において使用され、蒸発器、凝縮器からなる熱交換器と圧縮機より構成される冷凍サイクルと、浴室の空気を吸い込んで前記浴室へと空気を循環する空気循環装置と、前記浴室の空気を吸い込んで屋外に排気する換気装置と、この換気装置と前記空気循環装置と前記冷凍サイクルとを制御する制御装置と、この制御装置に操作信号を送信する操作部と、前記換気装置の浴室空気を吸い込む吸込み風路に開閉自在の通風遮断部材を設けると共に、前記浴室とは異なる一部屋ないし複数の部屋より空気を吸い込むための１つないし複数の接続ダクトとを備え、浴室とは異なる部屋より吸込んだ空気の熱を回収（または放出）し、浴室送風する空気へ熱を放出（または回収）することで浴室を空調し、通風遮断部材の開閉量により、前記換気装置は浴室以外の一部屋ないし複数の部屋を同時にまたは個別に換気するか否かの選択と吸込み量の調整をするものがある（例えば、特許文献１参照）。
【０００３】
また別のヒートポンプを利用した浴室などの換気空調装置としては、浴室への送風風路に、浴室以外の部屋への送風口を設け、送風口には開閉装置が備わっており、この開閉装置を開閉することにより、熱交換器によって加熱または冷却された空気を浴室以外の部屋、例えば脱衣所へ送風することで、浴室以外の部屋の暖房ないし冷房するものがある（例えば、特許文献２参照）。
【特許文献１】特開２００３−３４３８９２号公報
【特許文献２】特開２００５−１８０７１２号公報
【発明の開示】
【発明が解決しようとする課題】
【０００４】
このような従来の換気空調装置では、このようにヒートポンプを利用した換気空調装置は様々なものが知られているが、ヒートポンプを利用することにより、従来の電気式ヒータよりも熱変換効率が大幅に上がり、電源容量の制限内（電源コンセントの容量（一般的に１５Ａまで）やブレーカ容量（各契約アンペア）など）でも、大きな空調能力を得ることができ、浴室に限らず、他室への空調空気供給も可能となった。
【０００５】
また、同じくヒートポンプを利用するので、換気空調装置に取り込んだ空気を蒸発器、凝縮器へ通す順番を風路切換えにより変えることで暖房、冷房、除湿など空調のモード変更が可能となった。
【０００６】
このように大能力・多機能が可能になった反面、風路切換えのためのアクチュエータ、風路が増加し、電気的な接続や施工に必要な風路ダクトの接続が複雑となり、誤接続の原因となっているという課題があり、また、一般的に換気空調装置は、浴室（ユニットバスなど）の天井裏に設置されることが多く、換気空調装置の周囲は暗く限られた空間であり、施工作業は誤配線、風路ダクトの誤接続などを誘発し易い環境であり、そのような空間であるため、施工時やメンテナンス時の動作確認作業としての目視が困難であるという課題がある。
【０００７】
本発明は、このような従来の課題を解決するものであり、施工作業確認と装置の動作確認を一括して実施することができるので、確認作業の簡略化と作業時間の短縮、作業者の負担を軽減することができることができる換気空調装置を提供することを目的としている。
【課題を解決するための手段】
【０００８】
本発明の換気空調装置は、上記目標を達成するため本体に圧縮機と第１熱交換器と膨張機構と第２熱交換器からなる冷凍サイクルと、熱交換器に空気を送る送風装置と、風路に設けた開閉手段と、前記送風装置と開閉手段を制御する制御手段を備え、前記制御装置に動作確認機能を有したことを特徴とする。
【０００９】
そして、本発明によれば施工作業確認と装置の動作確認を一括して実施することができるので、確認作業の簡略化と作業時間の短縮、作業者の負担を軽減することができる換気空調装置が得られる。
【００１０】
また、動作確認機能は、開閉手段を閉とした後、送風装置を駆動させる機能としたことを特徴とする。
【００１１】
また、開閉手段を浴室への送風風路に設け、動作確認機能へこの開閉手段を開く機能を追加したことを特徴とする。
【００１２】
また、開閉手段を屋外への換気風路に設け、動作確認機能へこの開閉手段を開く機能を追加したことを特徴とする。
【００１３】
また、開閉手段を他室への送風風路に設け、動作確認機能へこの開閉手段を開く機能を追加したことを特徴とする。
【００１４】
また、開閉手段を浴室からの吸込み風路に設け、動作確認機能へこの開閉手段を閉じる機能を追加したことを特徴とする。
【００１５】
また、開閉手段を他室からの吸込み風路に設け、動作確認機能へこの開閉手段を開く機能を追加したことを特徴とする。
【００１６】
また、動作確認機能は、予め設定した空調運転モードとしたことを特徴とする。
【００１７】
また、動作確認機能を働かせるための入力部を制御手段に備えたことを特徴とする。
【００１８】
また、換気空調装置の発停、運転モード選択など通常使用者が操作する操作部を備え、この操作部の操作により動作確認機能を働かせることを特徴とする。
【００１９】
また、動作確認機能を働かせる操作を専用の操作としたことを特徴とする。
【００２０】
また、動作確認機能が働いていることを表示する表示部を操作部に備えたことを特徴とする。
【００２１】
また、表示部は文字として表示する液晶表示部としたことを特徴とする。
【００２２】
また、確認作業毎に操作部を操作する作業認識操作を追加したことを特徴とする。
【００２３】
また、設置後初めて動作されるときは動作確認機能を働かせることを特徴とする。
【００２４】
また、動作確認機能は予め設定された順番通りに自動で切換えていくことを特徴とする。
【発明の効果】
【００２５】
本発明によれば本体に圧縮機と第１熱交換器と膨張機構と第２熱交換器からなる冷凍サイクルと、熱交換器に空気を送る送風装置と、風路に設けた開閉手段と、前記送風装置と開閉手段を制御する制御手段を備え、前記制御装置に動作確認機能を有したことにより、施工作業確認と装置の動作確認を一括して実施することができるので、確認作業の簡略化と作業時間の短縮、作業者の負担を軽減することができるという効果のある換気空調装置を提供できる。
【００２６】
また、動作確認機能は、開閉手段を閉とした後、送風装置を駆動させる機能としたことで、開閉手段が閉動作していることを送風状態により確認することができるという効果のある換気空調装置を提供できる。
【００２７】
また、開閉手段を浴室への送風風路に設け、動作確認機能へこの開閉手段を開く機能を追加したことで、開閉手段が開動作していることを浴室への送風状態により確認することができ、同時に送風装置の正常動作を確認することができるという効果のある換気空調装置を提供できる。
【００２８】
また、開閉手段を屋外への換気風路に設け、動作確認機能へこの開閉手段を開く機能を追加したことで、開閉手段が開動作していることを屋外への送風状態により確認することができ、同時に送風装置の正常動作と屋外につながる風路ダクトの接続確認をすることができるという効果のある換気空調装置を提供できる。
【００２９】
また、開閉手段を他室への送風風路に設け、動作確認機能へこの開閉手段を開く機能を追加したことで、開閉手段が開動作していることを他室への送風状態により確認することができ、同時に送風装置の正常動作と他室につながる風路ダクトの接続確認をすることができるという効果のある換気空調装置を提供できる。
【００３０】
また、開閉手段を浴室からの吸込み風路に設け、動作確認機能へこの開閉手段を閉じる機能を追加したことで、浴室吸込みに設けた開閉手段が閉動作していることを換気空調装置の送風状態により確認することができるという効果のある換気空調装置を提供できる。
【００３１】
また、開閉手段を他室からの吸込み風路に設け、動作確認機能へこの開閉手段を開く機能を追加したことで、他室吸込みに設けた開閉手段が閉動作していることを換気空調装置の送風状態により確認することができるという効果のある換気空調装置を提供できる。
【００３２】
また、動作確認機能は、予め設定した空調運転モードとしたことで、換気空調装置の送風温度を確認することにより、冷凍サイクルの正常動作を確認することができるという効果のある換気空調装置を提供できる。
【００３３】
また、動作確認機能を働かせるための入力部を制御手段に備えたことで、施工時の確認やメンテナンス作業時に任意に換気空調装置の動作確認や施工作業確認をすることができるという効果のある換気空調装置を提供できる。
【００３４】
また、換気空調装置の発停、運転モード選択など通常使用者が操作する操作部を備え、この操作部の操作により動作確認機能を働かせることで、施工時の確認やメンテナンス作業時に任意に換気空調装置の動作確認や施工作業確認をすることができるという効果のある換気空調装置を提供できる。
【００３５】
また、動作確認機能を働かせる操作を専用の操作としたことで、不意の操作による動作確認機能の動作を抑制し、施工時の確認やメンテナンス作業時に任意に換気空調装置の動作確認や施工作業確認をすることができるという効果のある換気空調装置を提供できる。
【００３６】
また、動作確認機能が働いていることを表示する表示部を操作部に備えたことで、作業者への注意喚起をすることができるという効果のある換気空調装置を提供できる。
【００３７】
また、表示部は文字として表示する液晶表示部としたことで、文字表示により作業者へ作業内容指示などを明確に伝達することができるという効果のある換気空調装置を提供できる。
【００３８】
また、確認作業毎に操作部を操作する作業認識操作を追加したことで、作業指示の明確化と作業項目の抜けを防止することができるという効果のある換気空調装置を提供できる。
【００３９】
また、設置後初めて動作されるときは動作確認機能を働かせることで、設置後の確認作業を作業者忘れることを防止することができるという効果のある換気空調装置を提供できる。
【００４０】
また、動作確認機能は予め設定された順番通りに自動で切換えていくことで、設置後の確認作業を効率的に、また、確実に実施することができるとともに  という効果のある換気空調装置を提供できる。という効果のある換気空調装置を提供できる。
【発明を実施するための最良の形態】
【００４１】
本発明の請求項１記載の発明は、本体に圧縮機と第１熱交換器と膨張機構と第２熱交換器からなる冷凍サイクルと、熱交換器に空気を送る送風装置と、風路に設けた開閉手段と、前記送風装置と開閉手段を制御する制御手段を備え、前記制御装置に動作確認機能を有したものであり、動作確認機能を働かせることで、施工確認に必要な動作をさせることができるという作用を有する。
【００４２】
また、本発明の請求項２記載の発明は、動作確認機能を開閉手段を閉とした後、送風装置を駆動させる機能とするものであり、送風装置により送風を始めるが、閉じた開閉手段にて送風量を低下もしくは止めることができるという作用を有する。
【００４３】
また、本発明の請求項３記載の発明は、開閉手段を浴室への送風風路に設け、動作確認機能へこの開閉手段を開く機能を追加したものであり、送風装置により浴室への送風を始めるが、閉じた開閉手段にて送風量を低下もしくは止めることができるという作用を有する。
【００４４】
また、本発明の請求項４記載の発明は、開閉手段を屋外への換気風路に設け、動作確認機能へこの開閉手段を開く機能を追加したものであり、送風装置により屋外への送風を始めるが、閉じた開閉手段にて送風量を低下もしくは止めることができるという作用を有する。
【００４５】
また、本発明の請求項５記載の発明は、開閉手段を他室への送風風路に設け、動作確認機能へこの開閉手段を開く機能を追加したものであり、送風装置により他室への送風を始めるが、閉じた開閉手段にて送風量を低下もしくは止めることができるという作用を有する。
【００４６】
また、本発明の請求項６記載の発明は、開閉手段を浴室からの吸込み風路に設け、動作確認機能へこの開閉手段を閉じる機能を追加したものであり、送風装置により浴室からの吸気を始めるが、閉じた開閉手段にて吸気をなくし送風量を低下もしくは止めることができるという作用を有する。
【００４７】
また、本発明の請求項７記載の発明は、開閉手段を他室からの吸込み風路に設け、動作確認機能へこの開閉手段を開く機能を追加したものであり、送風装置により他室からの吸気を始めるが、閉じた開閉手段にて吸気をなくし送風量を低下もしくは止めることができるという作用を有する。
【００４８】
また、本発明の請求項８記載の発明は、動作確認機能を予め設定した空調運転モードとしたものであり、空調運転モードにて運転させることにより、温風や冷風、除湿風を送風させることができるという作用を有する。
【００４９】
また、本発明の請求項９記載の発明は、動作確認機能を働かせるための入力部を制御手段に備えたものであり、入力部の操作により任意に動作確認機能を働かせることができるという作用を有する。
【００５０】
また、本発明の請求項１０記載の発明は、換気空調装置の発停、運転モード選択など通常使用者が操作する操作部を備え、この操作部の操作により動作確認機能を働かせるようにしたものであり、特別な部材などを備えることなく任意に動作確認機能を働かせることができるという作用を有する。
【００５１】
また、本発明の請求項１１記載の発明は、動作確認機能を働かせる操作を専用の操作としたものであり、専用の操作により動作確認機能を働かせることができるという作用を有する。
【００５２】
また、本発明の請求項１２記載の発明は、動作確認機能が働いていることを表示する表示部を操作部に備えたものであり、動作確認機能が働いていることを表示部により表示させることができるという作用を有する。
【００５３】
また、本発明の請求項１３記載の発明は、表示部は文字として表示する液晶表示部としたものであり、様々な表示を文字として表示させることができるという作用を有する。
【００５４】
また、本発明の請求項１４記載の発明は、確認作業毎に操作部を操作する作業認識操作を追加したものであり、作業者へ作業内容を実施するたびに操作部を確認し、入力動作させることができるという作用を有する。
【００５５】
また、本発明の請求項１５記載の発明は、設置後初めて動作されるときは動作確認機能を働かせるようにしたものであり、電源電圧供給時は自動的に動作確認機能を働かせることができるという作用を有する。
【００５６】
また、本発明の請求項１６記載の発明は、動作確認機能は予め設定された順番通りに自動で切換えていくようにしたものであり、動作確認機能を確認項目毎に自動的に働かせることができるという作用を有する。
【００５７】
以下、本発明の実施の形態について図面を参照しながら説明する。
【００５８】
（実施の形態１）
本発明の実施の形態１の換気空調装置を図１から図４を参照しながら説明する。
【００５９】
図１は本発明の換気空調装置の一例で暖房運転状態の構成を示すものであり、図２は本発明の制御手段にて制御する構成と電気的接続の一例を示すものであり、図３は本発明の換気空調装置の一例で除湿運転状態の構成を示すものであり、図４は本発明の換気空調装置の一例で全ての開閉手段の閉状態を示すものである。
【００６０】
図１に示すように、室内（例えば浴室）に開口した吸込口１から空気を吸込み、第２熱交換器２を介して屋外に排出する換気口３へと空気を送風する換気送風装置４とで換気風路５を形成し、この換気風路５に第１開閉手段６と第２開閉手段７を設け、また、吸込口１から空気を吸込み、第１熱交換器８を介して室内空間に開口した吹出口９から室内へ空気を送風する空調送風装置１０とで空調風路１１を形成し、この空調風路１１に第３開閉手段１２を設け、吸込口１から吸込む空気を遮断し、第１熱交換器８と第２熱交換器２間を連通するように除湿風路を形成する第４開閉手段１３を設け、冷媒を圧縮する圧縮機１４と、空調送風装置１０により送風される空気と冷媒を熱交換させる第１熱交換器８と、冷媒を膨張させる膨張機構１５と、換気送風装置４により送風される空気と冷媒を熱交換させる第２熱交換器２とをつなぎ冷媒を通す冷凍配管１６にて冷凍サイクルを形成し、圧縮機１４、空調送風装置１０、換気送風装置４、第１開閉手段６、第２開閉手段７、第３開閉手段１２、および、第４開閉手段１３を所定の動作組み合わせで制御する動作確認機能を有し、この動作確認機能を働かせるための入力部１７を備えた制御手段１８を本体１９に備えた構成とする。
【００６１】
図２に示すように、制御手段１８は動作確認機能を有しており、圧縮機１４、膨張機構１５、空調送風装置１０、換気送風装置４、第１開閉手段６、第２開閉手段７、第３開閉手段１２、第４開閉手段１３、および、入力部１７と電気的に接続された構成とする。
【００６２】
図４にて、第１開閉手段６、第２開閉手段７、第３開閉手段１２、および、第４開閉手段１３それぞれの開閉方向として閉塞状態を示す。
【００６３】
上記構成において、図１に示すように、室内の暖房空調をするときは、制御手段１８の信号により、第１開閉手段６は開放、第２開閉手段７は閉塞、第３開閉手段１２は開放、第４開閉手段１３は開放の状態とし、圧縮機１４と空調送風装置１０と換気送風装置４が作動することで、圧縮機１４により高温高圧化された冷媒は冷凍配管１６を通り、空調送風装置１０により室内から吸込まれた空気に熱を放熱し、膨張機構１５へと移動し減圧され、低温低圧となり第２熱交換器２へと移動し、換気送風装置４により室内から吸込まれた空気の熱を吸収し圧縮機１４へと戻る。
【００６４】
このように第２熱交換器２において、吸込口１から吸い込まれ屋外に排出する空気から冷媒が吸熱し、第１熱交換器８において、室内空間を循環する空気に冷媒が放熱することによって室内空間を暖房することとなる。
【００６５】
また、図３に示すように、室内の除湿空調をするときは、制御手段１８の信号により、第１開閉手段６は閉塞、第２開閉手段７は開放、第３開閉手段１２は開放、第４開閉手段１３は閉塞の状態とし、圧縮機１４と空調送風装置１０が作動することで、冷媒が冷凍配管１６を通り熱交換を始め、各開閉手段の開閉状態により構成された除湿風路により、第２開閉手段７が室内に開口したことで室内空気を吸込み、第２熱交換器２にて冷媒が吸熱するため、吸込まれた空気は冷やされることで露点温度を下回り、第２熱交換器２に結露を発生させ、保有水分量を減少させつつ、第４開閉手段１３にて第１熱交換器８と第２熱交換器２が連通するよう風路が構成されているので、空気は第１熱交換器８へと送られ、第１熱交換器８により冷媒が放熱するので、送られた空気は再度暖められ吹出口９より室内へと送風されることによって室内空間を除湿することとなる。
【００６６】
このようにヒートポンプを利用したため、風路の切換えによって空調モードを切換えることが可能である。
【００６７】
次に、施工時やメンテナンス時の動作確認作業については、入力部１７の操作により、動作確認機能を働かせると、第１開閉手段６、第２開閉手段７、第３開閉手段１２、および、第４開閉手段１３は図４に示すように閉塞状態となり、空調送風装置１０と換気送風装置４を駆動させるが、各開閉手段により送風風路が閉塞されていることから、吹出口９や換気口３からの送風は微小な風量もしくは送風がない状態となる。
【００６８】
次に、第４開閉手段１３を開放した後、室内への風路に設けた第３開閉手段１２を開放させることで、吹出口９から適正な送風が開始される。
【００６９】
また、屋外への換気風路５に設けた第１開閉手段６を開放させることで、換気口３から適正な送風が開始される。
【００７０】
次に、吹出口９や換気口３から適正な送風がされている状態で、室内からの吸込み風路に設けた第４開閉手段１３を閉塞することで、吹出口９や換気口３からの送風は微小な風量もしくは送風がない状態となる。
【００７１】
このように、圧縮機１４、空調送風装置１０、換気送風装置４、第１開閉手段６、第２開閉手段７、第３開閉手段１２、および、第４開閉手段１３を所定の動作組み合わせで制御する動作確認機能により、これらを動作させて、各送風装置（空調送風装置１０、換気送風装置４）の駆動と各開閉手段（第１開閉手段６、第２開閉手段７、第３開閉手段１２、および、第４開閉手段１３）の開閉による送風状態の変化を作業者が確認することによって、確認困難な各開閉手段の動作確認と電気的接続確認および、各送風装置の動作確認と電気的接続確認が可能となる。
【００７２】
また、前記動作確認機能の動作を、予め設定した空調運転モードとした場合は、入力部１７の操作により、動作確認機能を働かせると、第１開閉手段６、第２開閉手段７、第３開閉手段１２、および、第４開閉手段１３は図４に示すように閉塞状態となり、空調送風装置１０と換気送風装置４と共に圧縮機１４を駆動することとなり、吹出口９から適正な送風が行われる場合は、暖かい送風となり、換気口３からの送風は冷たい送風となり、送風状態の変化と共に、送風温度を確認することで、確認困難な冷凍サイクルの動作確認と電気的接続確認が容易に可能となる。
【００７３】
また、設置後電源電圧を初めて供給された場合は、入力部１７の操作なく動作確認機能を働かせることで、前記確認作業を円滑に行うことが可能となる。
【００７４】
このように、動作確認機能により施工時やメンテナンス時の確認に必要な動作をさせ、送風風量の変化と送風温度を作業者が確認することによって、施工確認に必要で確認困難な各開閉手段の動作確認と電気的な接続の確認、各送風装置の動作確認と電気的な接続の確認、冷凍サイクル動作確認と電気的な接続の確認、風路ダクトの接続確認を一括して実施することができるので、確認作業の簡略化と作業時間の短縮、作業者の負担を軽減することができ、確認作業を作業者が忘れることを防止することができる換気空調装置が得られる。
【００７５】
また、膨張機構１５は冷媒を膨張（減圧）をできれば良く、配管を細くして一定の減圧を実施するキャピラリーチューブや、減圧量を可変することができる膨張弁、更に電子制御を実現する電動膨張弁などがある。
【００７６】
また、冷媒の方向を一方向として説明したが、冷媒配管の途中に四方弁などを用いて第１熱交換器８と第２熱交換器２へ到達する冷媒の状態を逆にして、冷房と暖房を切換えても良い。
【００７７】
また、換気送風装置４と空調送風装置１０は別々のものとして説明したが、第１熱交換器８と第２熱交換器２へ空気を流す作用が得られれば良く、ひとつの送風装置を共用にした構成や、送風装置は本体１９内部に設けず、別置きとした構成でも効果は変わらない。
【００７８】
また、第１熱交換器８と第２熱交換器２は冷媒と空気との間で熱交換できれば良く、例えば、縦横に配列した配管とフィンを用いた構成で、材料は熱伝導の良い銅やアルミニウムを主原料としたものがある。
【００７９】
また、入力部１７は作業者が動作確認機能を働かせるべく操作し、制御手段１８へ電気信号を伝えられれば良く、例えば機械接点式のスイッチ、赤外線検出を用いたセンサ、磁力を用いたホールＩＣ、リミットスイッチなどがある。
【００８０】
また、開閉手段は風路の開閉状態を可変できれば良く、例えば駆動源とモータを用いたものがある。
【００８１】
（実施の形態２）
本発明の実施の形態２の換気空調装置を図５から図１０を参照しながら説明する。
【００８２】
図５は本発明の換気空調装置の一例で冷房運転状態の構成を示すものであり、図６は本発明の制御手段１８にて制御する構成と電気的接続の一例を示すものであり、図７は本発明の換気空調装置の一例で他室吸込み他室供給暖房運転状態の構成を示すものであり、図８は本発明の換気空調装置の一例で全ての開閉手段の閉状態を示すものであり、図９は本発明の動作確認機能の処理の一例を示すものであり、図１０は本発明の液晶表示部２６の表示一例を示すものである。
【００８３】
なお、実施の形態２の説明において既に実施の形態１で説明した同一部品については同一符号を付与し説明を省略する。
【００８４】
図５に示すように、本体１９が設置された室内空間以外の別の室内空間（例えば、トイレや脱衣室やリビングなど）へ空調した空気を送風する他室送風口２０と、換気風路５へとつながる換気バイパス風路２１を空調風路１１に設け、この空調風路１１に第５開閉手段２２を備え、本体１９が設置された室内空間以外の別の室内空間（例えば、トイレや脱衣室やリビングなど）から空気を吸込む他室吸込口２３を換気風路５に設け、この換気風路５に第６開閉手段２４を備え、換気空調装置の発停、運転モードの選択を操作する操作スイッチ２５と動作機能が働いていることを表示する表示部は、文字として表示する液晶表示部２６を備えた操作部２７を備えた構成とする。
【００８５】
図６に示すように、制御手段１８は動作確認機能を有しており、圧縮機１４、膨張機構１５、空調送風装置１０、換気送風装置４、第１開閉手段６、第２開閉手段７、第３開閉手段１２、第４開閉手段１３、第５開閉手段２２、第６開閉手段２４、および、操作部２７と電気的に接続された構成とする。
【００８６】
図８にて、第１開閉手段６、第２開閉手段７、第３開閉手段１２、第４開閉手段１３、第５開閉手段２２および、第６開閉手段２４それぞれの開閉方向として閉塞状態を示す。
【００８７】
また、動作確認機能は操作部２７に備えた操作スイッチ２５により、専用の操作（例えば、操作スイッチ２５の連続長押しや複数のスイッチの同時押し）にて働くよう予め設定しておき、動作確認機能が働くと、図９および図１０に示すように、液晶表示部２６には確認作業毎に必要な作業内容を表示し、操作スイッチ２５を操作するまで現在の状況で待機する作業認識操作と確認フローチャートの通り確認作業を順番に自動で切換えていくように設定している。
【００８８】
上記構成において、図５に示すように、室内の冷房空調をするときは、制御手段１８の信号により、第１開閉手段６は閉塞、第２開閉手段７は開放、第３開閉手段１２は閉塞、第４開閉手段１３は開放、第５開閉手段２２は換気バイパス風路２１へ開放、第６開閉手段２４は閉塞の状態とし、圧縮機１４と空調送風装置１０と換気送風装置４が作動することで、冷媒が冷凍配管１６を通り熱交換を始め、空調送風装置１０により室内から吸込まれた空気は第１熱交換器８により暖められ、空調風路１１から第５開閉手段２２にて換気バイパス風路２１へと向かい、換気口３から屋外へ送風する。
【００８９】
また、換気送風装置４により室内から吸込まれた空気は第２熱交換器２により冷やされ、第２開閉手段７により室内に開口した室内へと送風する。
【００９０】
このように第１熱交換器８において、吸込口１から吸い込まれ屋外に排出する空気から冷媒が放熱し、第２熱交換器２において、室内空間を循環する空気に冷媒が吸熱することによって室内空間を冷房することとなる。
【００９１】
また、図７に示すように、他室（別の室内空間（例えば、トイレや脱衣室やリビングなど））から空気を吸込み、他室の暖房空調をするときは、制御手段１８の信号により、第１開閉手段６は開放、第２開閉手段７は閉塞、第３開閉手段１２は閉塞、第４開閉手段１３は開放、第５開閉手段２２は他室送風口２０方向へ開放、第６開閉手段２４は開放の状態とし、圧縮機１４と空調送風装置１０が作動することで、冷媒が冷凍配管１６を通り熱交換を始め、空調送風装置１０により室内から吸込まれた空気は第１熱交換器８により暖められ、空調風路１１から第５開閉手段２２にて他室送風口２０へと向かい、他室へ空調空気を送風する。
【００９２】
また、換気送風装置４により他室から吸込まれた空気は第２熱交換器２により熱を回収され、屋外に排出する。
【００９３】
このように第２熱交換器２において、他室吸込口２３から吸い込まれ屋外に排出する空気から冷媒が吸熱し、第１熱交換器８において、室内空間を循環する空気に冷媒が放熱することによって室内空間を暖房するため、熱効率を向上させ、省エネを図ると共に、本体１９が設置された室内空間の熱を屋外へ排出することなく空調することとなる。
【００９４】
このようにヒートポンプを利用したため、風路の切換えによって空調モードを切換えることが可能である。
【００９５】
次に、施工時やメンテナンス時の動作確認作業については、操作部２７の操作スイッチ２５を操作し、動作確認機能を働かせると、第１開閉手段６、第２開閉手段７、第３開閉手段１２、第４開閉手段１３、第５開閉手段２２および、第６開閉手段２４は図８に示すように閉塞状態となり、空調送風装置１０と換気送風装置４を駆動させるが、各開閉手段により送風風路が閉塞されていることから、吹出口９や換気口３、および他室送風口２０からの送風は微小な風量もしくは送風がない状態となる。
【００９６】
次に、第１開閉手段６を開放した後、換気風路５に設けた第６開閉手段２４を開放させることで、換気口３から適正な送風が開始される。
【００９７】
次に、第４開閉手段１３を開放した後、空調風路１１に設けた第５開閉手段２２を他室送風口２０方向へ開放させることで、他室送風口２０から適正な送風が開始される。
【００９８】
次に第１開閉手段６を閉塞し、換気口３からの送風を低減させた後、第５開閉手段２２を換気バイパス風路２１方向へ開放させることにより、換気口３から適正な送風が開始される。
【００９９】
なお、第１開閉手段６、第２開閉手段７、第３開閉手段１２および、第４開閉手段１３の確認方法は前記実施の形態１にて説明しているため、説明を省略する。
【０１００】
このように、各送風装置の駆動と各開閉手段の開閉による送風状態の変化を作業者が確認することによって、確認困難な各開閉手段の動作確認と電気的接続確認および、各送風装置の動作確認と電気的接続確認、他室につながる風路ダクトの接続確認が可能となる。
【０１０１】
また、操作部２７の専用操作にて動作確認機能を働かせるようにしたので、特別な部材などを備えることなく、不意の操作による動作確認機能の動作を抑制し、任意に動作確認機能を働かせることが可能となる。
【０１０２】
また、動作確認機能が働いていることを文字として表示する液晶表示部２６とした表示部により表示させるので、様々な表示を文字として表示させることができ、作業者へ作業内容指示などを伝達し、且つ、作業内容を実施するたびに操作部２７を確認し、確認入力動作をすると次の確認作業項目を自動的に表示するようにしたので、作業者への注意喚起と作業指示の明確化と作業項目の抜けを防止することができ、設置後の確認作業を効率的に、また、確実に実施すること可能となる。
【０１０３】
このように、動作確認機能により施工時やメンテナンス時の確認に必要な動作をさせ、送風風量の変化と送風温度を作業者が確認することによって、施工確認に必要で確認困難な各開閉手段の動作確認と電気的な接続の確認、各送風装置の動作確認と電気的な接続の確認、冷凍サイクル動作確認と電気的な接続の確認、他室や屋外につながる風路ダクトの接続確認を一括して実施することができるので、確認作業の簡略化と作業時間の短縮、作業者の負担を軽減することができ、確認作業を作業者が忘れることを防止することができる換気空調装置が得られる。
【０１０４】
なお、液晶表示部は文字として表示できればよく、液晶以外の自光式表示（有機ＥＬや放電管）でも、その作用、効果は変わらない。
【産業上の利用可能性】
【０１０５】
本発明の換気空調装置は、確認困難な隠蔽部材そのものの能動を確認するのではなく、その能動によって起こる作用を確認することを特徴としたものであり、浴室の換気空調装置のみならず、建屋の全館空調装置など隠蔽タイプで送風ダクトを用いるような空調機の施工確認にも適用することができる。
【図面の簡単な説明】
【０１０６】
【図１】本発明の実施の形態１記載の換気空調装置の暖房運転状態の構成を示す概略断面図
【図２】同制御手段との電気的接続を示す構成図
【図３】同除湿運転状態の構成を示す概略断面図
【図４】同開閉手段の閉状態を示す概略断面図
【図５】本発明の実施の形態２記載の換気空調装置の冷房運転状態の構成を示す概略断面図
【図６】同制御手段との電気的接続を示す構成図
【図７】同他室吸込み他室供給暖房運転状態の構成を示す概略断面図
【図８】同開閉手段の閉状態を示す概略断面図
【図９】同動作確認機能の処理を示すフローチャート
【図１０】同液晶表示部の表示状態を示す表示説明図
【符号の説明】
【０１０７】
１    吸込口
２    第２熱交換器
３    換気口
４    換気送風装置
５    換気風路
６    第１開閉手段
７    第２開閉手段
８    第１熱交換器
９    吹出口
１０  空調送風装置
１１  空調風路
１２  第３開閉手段
１３  第４開閉手段
１４  圧縮機
１５  膨張機構
１６  冷凍配管
１７  入力部
１８  制御手段
１９  本体
２０  他室送風口
２１  換気バイパス風路
２２  第５開閉手段
２３  他室吸込口
２４  第６開閉手段
２５  操作スイッチ
２６  液晶表示部
２７  操作部
【図１】
2010164200.tif 000003
【図２】
2010164200.tif 000004
【図３】
2010164200.tif 000005
【図４】
2010164200.tif 000006
【図５】
2010164200.tif 000007
【図６】
2010164200.tif 000008
【図７】
2010164200.tif 000009
【図８】
2010164200.tif 000010
【図９】
2010164200.tif 000011
【図１０】
2010164200.tif 000012